(57)【要約】【課題】  従来の技術では、一般家庭で利用状態にある放送受信機の内部動作ログを出力することは困難であり、またユーザが行ったリモコン操作などを収集するためには特別な機器を取り付ける必要があった。これらの情報は、放送提供関係者には、視聴者の嗜好情報として有用であるが、視聴者にとっては、特に益はなく、特別な接続端を設けることで価格上昇につながることは、有益性に欠ける。【解決手段】  外部機器コントロール用のポートに放送受信機内部の動作ログ信号を出力させる機能を兼用できるようにし、（操作ログ送信に同意した視聴者の受信機においては）特別な端子を設けることなくリモコン操作のログなどを送信できるようにする。【選択図】図１
2005094592.tif 000002
【特許請求の範囲】
【請求項１】
自己の動作記録を出力する動作ログ出力手段と、受信機から外部機器を操作する信号を出力する外部機器操作信号出力手段と、前記動作ログ出力手段と外部機器操作信号出力手段とを切り替える切り替え手段を有することを特徴とする放送受信機。
【請求項２】
前記切り替え手段は、出力端子を複数持つことを特徴とする請求項１記載の放送受信機。
【請求項３】
前記動作記録は当該放送受信機の動作情報とそれに付属する情報とからなることを特徴とする請求項１記載の放送受信機。
【発明の詳細な説明】
【技術分野】
【０００１】
本発明は、テレビやセットトップボックス等の放送受信機の動作ログの出力方法に関するものである。
【背景技術】
【０００２】
テレビジョン視聴率は、放送局にとってコマーシャル受諾のための重要な要因であり、従来から調査が行われている。例えば、遠隔の調査先で視聴中の放送の音声を調査元で検出し、調査元が独自に受信した放送音声との比較によって放送局面を特定する方法（特許文献１参照）、放送されるテレビジョン信号に特定のシグネチャーを付加し、それを基に各家庭からデータを集めて集計する方法（特許文献２参照）などが挙げられる。
【０００３】
さらに、より視聴者の行為から直接視聴情報を得るために、各家庭のテレビの前に、テレビ操作用のリモコンの信号を受信し、全く同じ信号をテレビに出力しつつ、リモコン操作を解析し、その情報をセンターに送る発明もある（特許文献３参照）。
【特許文献１】特開昭５７−１０６２５３号公報
【特許文献２】特開昭６１−２６９５９６号公報
【特許文献３】特開平０８−２８８０７５号公報
【発明の開示】
【発明が解決しようとする課題】
【０００４】
デジタルテレビの登場によって、視聴者は多くのチャンネルから、好みの番組を選択することができるようになった。また、衛星放送、地上波放送、ケーブル放送、インターネットを用いたブロードバンドによる放送など、多くのネットワークを利用することもできるようになった。
【０００５】
このような環境下では、各放送局は益々視聴率を番組制作の判断基準とすることが考えられる。さらに、デジタルテレビでは、電子番組表に広告を掲載したり、パソコンでいうバナー広告を表示したりすることもできる。当然、どのくらいの人が電子番組表の広告を見たのか、どの地域で見てくれているのか、といった情報は、広告主にとっては、非常に大きな問題となる。
【０００６】
従って、このように複数のネットワークからの多くのチャンネルに対する視聴率をどのように調べるか、また従来にはなかった広告媒体の視聴率をどのように調査するかは放送事業者にとって大きな問題となる。
【０００７】
一方で、これらの情報は視聴者にとっては、直接利益のある情報とはなりにくいため、特別な端子などを設けることなくこれらの情報を発信する手段を受信端末に用意することが必要である。
【課題を解決するための手段】
【０００８】
視聴者の操作のうち、従来のチャンネル変更にかかわる操作だけでなく、電子番組表の広告や、バナー広告の視聴にかかわる操作についても操作記録をとる手段を設ける。これによって、いわゆるＣＭ以外の広告についても視聴記録をとることが可能となる。
【０００９】
また、これらの操作記録の送信手段については、外部機器コントロール用のポートを利用する。そして、外部機器コントロールを阻害しないような手段を設ける。これによって、視聴者には大きな負担をかけることなく、上記の視聴記録を送信することができる。
【発明の効果】
【００１０】
特別な装置やシステムを取り付けることなく、放送受信機の外部出力端子を有効に活用した内部の動作ログを出力することが可能となる。
【発明を実施するための最良の形態】
【００１１】
（実施の形態１）
以下に、本発明で提案する動作ログが出力可能な放送受信機の第１の実施の形態を説明する。
図３は本発明で提案するテレビ動作ログ出力を備えたテレビを含むログ収集システムの全体を示す図である。
ログ収集に協力することを同意した家庭（以下、協力家庭）３０１には、ユーザの操作によるテレビ動作のログや、テレビが自発的に実行した動作のログ（以下動作ログ）を送出するテレビ動作ログ出力システムを備えたテレビ（以下、動作ログ出力テレビ）１０１と、ログを受信するためのログ受信装置３０５が設置されている。ログ受信装置３０５によって収集された動作ログは、即時もしくは定期的にネットワーク回線３０２を通じてデータ集計センター３０３に送信される。複数の協力家庭から送信されたデータは、センター３０３に設置されたデータ集計装置３０４において集計および分析される。
図４はある協力家庭３０１における動作ログ出力テレビ１０１とログ受信装置３０５の設置の様子を示す図である。
協力家庭３０１に置かれた動作ログ出力テレビ１０１には、外部端子としてＩＲポート１０２が存在し、このＩＲポート１０２には動作ログを出力するためのＩＲ発光端子（以下、ログ出力用ＩＲ端子）１０３が接続されている。動作ログはこのログ出力用ＩＲ端子１０３からＩＲ信号として送出され、ログ受信装置３０５に受信される。一方ＩＲポート１０２にはＩＲ信号によって外部機器をコントロールすることを目的として、ログ出力用ＩＲ端子とは異なる外部機器コントロール用ＩＲ発光端子（以下、機器操作用ＩＲ端子）１０４が接続されている。この機器操作用ＩＲ端子１０４からは例えばビデオデッキやＤＶＤレコーダなどの外部機器４０１に対してタイマー録画予約を設定するための録画時刻情報や録画チャンネル情報の信号や、テレビ番組の放送開始・終了時間にテレビと連動して録画の開始や終了を行うための信号である外部機器コントロール信号が送出される。
ログ受信装置３０５で受信されたログ情報は、一定期間蓄積しておき、特定時刻に一度に送信するのが通常であるが、ＩＲ発光端子１０３からの情報を受信する度に送信してもよい。
図１は動作ログが出力可能な放送受信機を示す図である。
動作ログ出力テレビ１０１には、出力端子のひとつとして動作ログ出力や機器操作をＩＲ信号出力として出力するためのＩＲポート１０２が備えられており、このＩＲポート１０２にはログ出力用ＩＲ端子１０３と機器操作用ＩＲ端子１０４が接続されている。また、入力端子のひとつとして、リモコン１０５からユーザの操作を受信するリモコン受光部１０６が備えられている。
また動作ログ出力テレビ１０１は、内部処理系としてシステム全体を制御するシステム制御部１１０を備えている。このシステム制御部１１０はリモコン受光部１０６から選局や予約設定などのテレビ操作信号Ｒｍを受信し、Ｒｍに呼応して動作ログ出力を目的とした動作ログ出力要求信号ＲＱａや、外部機器コントロールを目的とした外部機器コントロール出力要求信号ＲＱｂやＩＲコントローラ１１３の制御を目的としたＩＲポートコントロール信号ＳＧｃを出力する。これらＲＱａおよびＲＱｂおよびＳＧｃの出力信号は、選局操作や予約設定などユーザの操作による動作や、予約実行や放送コンテンツ自動受信などシステム制御部１１０による自発的な動作が行われた際、若しくは電子番組表に付属される広告やバナー広告などの画面の表示の際に発信される。
動作ログ出力要求信号ＲＱａは動作ログ出力を出力するためにシステム制御部１１０から動作ログ出力制御部１１１に送られる信号である。ＲＱａが発信されると動作ログ出力制御部１１１では、動作の内容を示した動作ログデータＤａをログ受信装置の受信仕様に従って作成しＩＲコントローラ制御信号ＳＧａを用いてＩＲコントローラ１１３にログデータＤａを送信する。すなわち、ＩＲコントローラ１１３は、制御信号ＳＧａに続くＤａによって、この信号が動作ログ出力制御部１１１からの信号であって、その内容がＤａであることを示す。
外部機器コントロール信号送出要求ＲＱｂは外部機器コントロール用信号を出力するためにシステム制御部１１０から外部機器操作出力制御部１１２に送られる信号である。ＲＱｂが発信されると外部機器操作出力制御部１１２では、外部機器操作信号Ｄｂを外部機器４０１の受信仕様に従って作成し、ＩＲコントローラ制御信号ＳＧｂを用いてＩＲコントローラ１１３に外部機器操作信号Ｄｂを送信する。
ＩＲポートコントロール信号ＳＧｃは、システム制御部１１０からＩＲコントローラ１１３に送られる信号であり、ＩＲコントローラ１１３においてＩＲコントローラ制御信号ＳＧａとＩＲコントローラ制御信号ＳＧｂのいずれの出力を行うかの切り替え動作を行うための信号である。
ＩＲコントローラ１１３は動作ログ出力制御部１１１からの動作ログ出力要求信号ＲＱaおよび外部機器操作出力制御部１１２からの動作ログ出力要求信号ＲＱｂを受信し、ＩＲポートに対してＩＲ出力信号ＩＲｄを出力する。この際ＩＲポートコントロール信号ＳＧｃによってＲＱa、ＲＱｂの両方からの出力要求を受け付けるか、どちらか一方の要求のみを受け付けるかが設定される。
ＩＲポート１０２はＩＲ出力信号ＩＲｄを受け取るとログ出力用ＩＲ端子１０３および機器操作用ＩＲ端子１０４に対して動作電圧を印加し両方のＩＲ端子からＩＲ信号を送出する。
以上のような動作ログが出力可能な放送受信機における動作ログ出力方法を示したフローチャートを図２に示す。
【００１２】
本発明で提案する放送受信機において、ユーザの操作もしくはシステムの自発的動作によってある動作（Ｓ２００）が発生した場合には、発生した動作がＩＲポートを通じた外部機器コントロールする動作であるか否かをシステム制御部１１０において判定する（Ｓ２０２）。システム制御部１１０は、外部機器コントロール用コマンドのテーブルを有していて、リモコン受光部１０６から送られたテレビ操作信号Ｒｍを、そのテーブルのコマンドと一致するか否かによって判断する。
その結果がＮＯつまりＩＲポートを通じた外部機器のコントロールではないと判定された場合には、システム制御部１１０は動作ログを出力するために動作ログ出力制御部に対して動作ログ出力要求信号ＲＱａを発信する（Ｓ２０４）。この結果としてログ出力用ＩＲ端子１０３および機器操作用ＩＲ端子１０４からは動作ログが出力される。なお、Ｓ２０４については、より詳細な説明を後述する。
【００１３】
一方Ｓ２０２において判定結果がＹＥＳつまり発生した動作２００がＩＲポートを通じた外部機器コントロール動作であった場合には、外部機器を正確にかつ適切なタイミングでコントロールするために、システム制御部１１０はＩＲコントローラ制御信号ＳＧｃを発信しＩＲコントローラが外部機器コントロール用のＩＲ制御信号ＳＧｂのみを処理できるように設定変更する（Ｓ２１０）。その状態においてシステム制御部１１０は外部機器操作出力制御部１１２に対して外部機器コントロール信号送出要求ＲＱｂを出力する（Ｓ２１２）。このＲＱｂの発信の結果として、ログ出力用ＩＲ端子１０３および機器操作用ＩＲ端子１０４から外部機器コントロール信号が出力される。外部機器コントロール信号の送出完了後、システム制御部１１０はＩＲコントローラの占有状態を解除するために再びＳＧｃを発信しＩＲコントローラを元の状態に戻す（Ｓ２１４）。すなわち、Ｓ２１０以降Ｓ２１４までの間は、動作ログの出力信号は受け付けない。
【００１４】
次にＳ２０４の内容についてより詳細な説明を行う。図５にＳ２０４の詳細なフローを示す。Ｓ２０２は、テレビの動作が外部機器操作でなかった場合の分岐である。従って、テレビの動作は、視聴者による操作または自発的な動作である。そこで、その動作には、付属情報の有無について判断する（Ｓ２３０）。
例えば、チャンネルの変更だけの場合は変更されたチャンネル番号を示せばよいから、付属情報はない。しかし、図６に示すように、電子番組表に広告がついている場合や、画面にバナー広告がついている場合は、これらの広告が視聴されたことを示すため、これらの情報も送信する。
Ｓ２３０での判断の仕方は、あらかじめ上記のような付属情報が表示される画面を情報として有しておき、その画面であれば現在表示されている広告やバナー広告の識別情報を付属情報とすればよい。
従って、付属情報がある場合は動作情報にその付属情報をつけて送信情報とする（Ｓ２３２）。実際に送信するＲＱａの形態については、プロトコルで変わってくる。例えば図６の場合では、動作としては「番組表の表示」、付属情報として「広告Ａ１、Ａ２」＋「バナー広告Ｂａ１、Ｂａ２、Ｂａ３」という内容が考えられる。
また、裏番組の自動取得といった動作の場合も付属情報の添付が必要となる。例えば動作としては「裏番組受信」、付属情報としては「チャンネル６」が考えられる。この場合、実際に視聴者が視聴しているのは「チャンネル６」以外のチャンネルである。
付属情報がない場合はＲＱａとしてテレビ操作信号Ｒｍの内容をそのまま送ってよい（Ｓ２３４）。なお、Ｓ２３２の場合もＳ２３４の場合も視聴時間と時刻を明らかにするため、すべての情報にその時刻情報が付加されるのが好ましい。
なお、以上の場合について、動作ログ出力要求信号ＲＱａを図７に示す。
【００１５】
以上のような手順を用いて動作ログを出力することで、放送受信機の外部機器コントロール用の出力端子を有効に活用して動作ログを出力することが可能となり、また、この方法を用いれば出力端子の本来の機能を阻害することもない。
【００１６】
なお、本実施例においては動作ログの出力は通常であれば電源のオンオフや選局、番組予約の実行、画面への広告の表示など、あらゆるテレビの動作について出力されるが、必要に応じて特定の動作だけに限定して出力する動作ログであっても良い。
【００１７】
また、ＩＲポートからの出力は、動作ログの出力と外部機器操作の出力とで、使用する周波数を変えてもよい。動作ログの出力の周波数（もしくはデータ転送レート）を変えることで、外部機器に対する誤動作指示を回避できる。
【００１８】
また、本実施例においては動作ログの出力をＩＲポートから行う例を示したが、ＩＲポートは、ＩＥＥＥ１３９４やビデオ端子などの外部出力端子を用いて動作ログを出力しても良い。またＩＲポートを使用する場合であっても、ＩＲ発光端子を用いず、ログ受信装置に信号線を直結させて動作ログを伝送する接続方法であっても良い。
【００１９】
また、本実施例においてはＩＲ発光端子が２つの例を示したが、ログ受信機を設置する場所によってはＩＲ発光端子を１つにしても良く、また逆に外部機器が複数台に及ぶ場合にはＩＲ発光端子が３つ以上であっても良い。また、本実施例においては複数のＩＲポートに繋がれたＩＲ発光端子の全てから常に信号が出力される例を示したが、ハードウェアコントローラを用いることで、目的に応じて複数のＩＲ発光端子のいずれかの端子に限定して信号を出力するようなＩＲ出力ポートであっても良い。
【産業上の利用可能性】
【００２０】
放送受信機から放送受信機内部の動作ログを出力可能とすることで、協力過程での放送受信装置の利用状況が調査でき、より魅力の高い放送受信装置の開発やより魅力の高いコンテンツの提供が可能となる。
【図面の簡単な説明】
【００２１】
【図１】動作ログが出力可能な放送受信機を示す図
【図２】動作ログ出力方法を示したフローチャート
【図３】テレビ動作ログ収集システムの全体を示す図
【図４】テレビ操作ログ収集システムの家庭でのシステム設置方法を示す図
【図５】図２のフローのＳ２０２を詳細に説明した図
【図６】表示画面に広告が掲載されている場合の例示を示した図
【図７】動作ログ出力制御部へ送られる信号ＲＱａの内容を例示した図
【符号の説明】
【００２２】
１０１  動作ログ出力テレビ
１０２  ＩＲポート
１０３  ログ出力用ＩＲ端子
１０４  機器操作用ＩＲ端子１０４
１０５  リモコン
１０６  リモコン受光部
１１０  システム制御部
１１１  動作ログ出力制御部
１１２  外部機器操作出力制御部
１１３  ＩＲコントローラ
３０１  ログ収集に協力することを同意した家庭
３０２  ネットワーク回線
３０３  データ集計センター
３０４  データ集計装置３０４
３０５  ログ受信装置
４０１  外部機器
【図１】
2005094592.tif 000003
【図２】
2005094592.tif 000004
【図３】
2005094592.tif 000005
【図４】
2005094592.tif 000006
【図５】
2005094592.tif 000007
【図６】
2005094592.tif 000008
【図７】
2005094592.tif 000009